(57)【特許請求の範囲】
【請求項１】
文字又は文字列を入力可能な入力手段と、
所定の文字又は文字列に対応する予測候補を含む予測候補辞書を記憶する記憶手段と、
前記記憶手段に記憶される前記予測候補辞書に基づいて、前記入力手段により入力された文字又は文字列に対応する予測候補を抽出する予測候補抽出手段と、
予め設定された文字又は文字列が入力された場合、特定機能の使用を許可する認証手段と、を備え、
前記予測候補辞書は、
前記記憶手段に予め記憶される初期予測候補辞書データと、
前記所定の文字又は文字列に対応するあらたな予測候補が追加される追加予測候補辞書データと、を有し、
前記認証手段による認証処理中において、前記入力手段に対して前記予め設定された文字又は文字列とは異なる文字又は文字列が所定回数入力された場合、
前記予測候補抽出手段は、前記初期予測候補辞書データのみに基づいて、前記予測候補の抽出を行う電子機器。
【請求項２】
前記予測候補抽出手段が記初期予測候補辞書データのみに基づいて前記予測候補を抽出している状態において、
前記入力手段に対して前記予め設定された文字又は文字列が入力された場合、
前記予測候補抽出手段は、前記初期予測候補辞書データ及び前記追加予測候補辞書データに基づいて、前記予測候補の抽出を行う請求項１に記載の電子機器。
【請求項３】
前記記憶手段は、
前記初期予測候補辞書データと前記追加予測候補辞書データとが記憶され、前記予測候補抽出手段により予測候補が抽出される第１記憶領域と、
前記第１記憶領域とは異なる第２記憶領域と、を有し、
前記入力手段に対して前記予め設定された文字又は文字列とは異なる文字又は文字列が所定回数入力された場合、前記追加予測候補辞書データは前記第２記憶領域に移動される請求項１又は２に記載の電子機器。
【請求項４】
前記追加予測候補辞書データが前記第２記憶領域に移動された状態において、
前記入力手段に対して前記予め設定された文字又は文字列が入力された場合、前記追加予測候補辞書データは前記第１記憶領域に移動される請求項３に記載の電子機器。
【請求項５】
前記入力手段に対して前記予め設定された文字又は文字列とは異なる文字又は文字列が所定回数入力された場合、
前記予測候補抽出手段は、前記追加予測候補辞書データに基づいて前記予測候補を抽出することが禁止される請求項１又は２に記載の電子機器。
【請求項６】
前記予測候補抽出手段が前記追加予測候補辞書データに基づいて前記予測候補を抽出することを禁止された状態において、
前記入力手段に対して前記予め設定された文字又は文字列が入力された場合、
前記予測候補抽出手段は、前記追加予測候補辞書データに基づいて前記予測候補を抽出することが許可される請求項５に記載の電子機器。
【請求項７】
文字又は文字列を入力可能な入力手段と、
所定の文字又は文字列に対応する予測候補を含む予測候補辞書を記憶する記憶手段と、
前記記憶手段に記憶される前記予測候補辞書に基づいて、前記入力手段により入力された文字又は文字列に対応する予測候補を抽出する予測候補抽出手段と、
予め設定された文字又は文字列が入力された場合、特定機能の使用を許可する認証手段と、を備え、
前記予測候補辞書は、
前記記憶手段に予め記憶される初期予測候補辞書データと、
前記所定の文字又は文字列に対応するあらたな予測候補が追加される追加予測候補辞書データと、を有し、
前記認証手段による認証処理中において、前記入力手段に対して前記予め設定された文字又は文字列とは異なる文字又は文字列が所定回数入力された場合、
前記予測候補抽出手段は、前記追加予測候補辞書データからの抽出を禁止される電子機器。
【請求項８】
前記特定機能が、少なくとも２種以上の機能である請求項１から７のいずれかに記載の電子機器。
【発明の詳細な説明】
【技術分野】
【０００１】
本発明は、携帯電話機等の電子機器に関する。詳細には、予測変換機能を有する電子機器に関する。
【背景技術】
【０００２】
電子機器としての携帯電話機において、従来の通話機能に加え、使用により課金されるインターネット接続機能や決済機能を備えるようになっている。また、携帯電話機における機能性及び使用性の向上により、個人情報や仕事上の情報等を携帯電話機に保存するようになっている。例えば、メール機能やアドレス帳機能の使用により、上述の個人情報等が容易に閲覧可能となっている。このような状況のなか、所有者とは異なる使用者による操作に対するセキュリティ対策が必要となっている。
【０００３】
これに対し、特定の機能を使用するためにパスワード等の入力を要求する認証機能を備える携帯電話機が提案されている（例えば、特許文献１参照）。
【０００４】
【特許文献１】特開２００３−３７８７２号公報
【発明の開示】
【発明が解決しようとする課題】
【０００５】
しかし、文字入力を容易に行うための予測変換機能を備える携帯電話機においては、所有者の使用により予測変換機能用の辞書に個人情報やパスワードが登録されている場合がある。認証機能による保護がされていない機能（例えば、メモ帳機能）を使用して予測変換機能を利用することで、秘匿すべき個人情報等が所有者とは異なる使用者に閲覧可能となる場合があった。また、同様に予測変換機能を利用することでパスワードを知る（又は推測する）ことが可能となり、認証機能により使用が制限された特定機能が所有者とは異なる使用者によって勝手に使用される場合があった。
【０００６】
本発明は、情報に対する認証機能が向上された電子機器を提供することを目的とする。
【課題を解決するための手段】
【０００７】
本発明は、文字又は文字列を入力可能な入力手段と、所定の文字又は文字列に対応する予測候補を含む予測候補辞書を記憶する記憶手段と、前記記憶手段に記憶される前記予測候補辞書に基づいて、前記入力手段により入力された文字又は文字列に対応する予測候補を抽出する予測候補抽出手段と、予め設定された文字又は文字列が入力された場合、特定機能の使用を許可する認証手段と、を備え、前記予測候補辞書は、前記記憶手段に予め記憶される初期予測候補辞書データと、前記所定の文字又は文字列に対応するあらたな予測候補が追加される追加予測候補辞書データと、を有し、前記認証手段による認証処理中において、前記入力手段に対して前記予め設定された文字又は文字列とは異なる文字又は文字列が所定回数入力された場合、前記予測候補抽出手段は、前記初期予測候補辞書データのみに基づいて、前記予測候補の抽出を行う電子機器に関する。
【０００８】
また、前記予測候補抽出手段が記初期予測候補辞書データのみに基づいて前記予測候補を抽出している状態において、前記入力手段に対して前記予め設定された文字又は文字列が入力された場合、前記予測候補抽出手段は、前記初期予測候補辞書データ及び前記追加予測候補辞書データに基づいて、前記予測候補の抽出を行うことが好ましい。
【０００９】
また、前記記憶手段は、前記初期予測候補辞書データと前記追加予測候補辞書データとが記憶され、前記予測候補抽出手段により予測候補が抽出される第１記憶領域と、前記第１記憶領域とは異なる第２記憶領域と、を有し、前記入力手段に対して前記予め設定された文字又は文字列とは異なる文字又は文字列が所定回数入力された場合、前記追加予測候補辞書データは前記第２記憶領域に移動されることが好ましい。
【００１０】
また、前記追加予測候補辞書データが前記第２記憶領域に移動された状態において、前記入力手段に対して前記予め設定された文字又は文字列が入力された場合、前記追加予測候補辞書データは前記第１記憶領域に移動されることが好ましい。
【００１１】
また、前記入力手段に対して前記予め設定された文字又は文字列とは異なる文字又は文字列が所定回数入力された場合、前記予測候補抽出手段は、前記追加予測候補辞書データに基づいて前記予測候補を抽出することが禁止されることが好ましい。
【００１２】
また、前記予測候補抽出手段が前記追加予測候補辞書データに基づいて前記予測候補を抽出することを禁止された状態において、前記入力手段に対して前記予め設定された文字又は文字列が入力された場合、前記予測候補抽出手段は、前記追加予測候補辞書データに基づいて前記予測候補を抽出することが許可されることが好ましい。
【００１３】
本発明は、文字又は文字列を入力可能な入力手段と、所定の文字又は文字列に対応する予測候補を含む予測候補辞書を記憶する記憶手段と、前記記憶手段に記憶される前記予測候補辞書に基づいて、前記入力手段により入力された文字又は文字列に対応する予測候補を抽出する予測候補抽出手段と、予め設定された文字又は文字列が入力された場合、特定機能の使用を許可する認証手段と、を備え、前記予測候補辞書は、前記記憶手段に予め記憶される初期予測候補辞書データと、前記所定の文字又は文字列に対応するあらたな予測候補が追加される追加予測候補辞書データと、を有し、前記認証手段による認証処理中において、前記入力手段に対して前記予め設定された文字又は文字列とは異なる文字又は文字列が所定回数入力された場合、前記予測候補抽出手段は、前記追加予測候補辞書データからの抽出を禁止される電子機器に関する。
【００１４】
また、前記特定機能が、少なくとも２種以上の機能であることが好ましい。
【発明の効果】
【００１５】
本発明によれば、情報に対する認証機能が向上された電子機器を提供することができる。
【発明を実施するための最良の形態】
【００１６】
以下、図面を参照して本発明を実施するための最良の形態を説明する。
図１により、電子機器としての携帯電話機１における基本構造を説明する。図１は、携帯電話機１を開いた状態における外観斜視図を示す。
【００１７】
図１に示すように、携帯電話機１は、筐体としての操作部側筐体２と、表示部側筐体３と、を備える。操作部側筐体２と表示部側筐体３とは、ヒンジ機構を備える連結部４を介して開閉可能に連結される。具体的には、操作部側筐体２の上端部と表示部側筐体３の下端部とは、連結部４を介して連結される。これにより、携帯電話機１は、ヒンジ機構を介して連結された操作部側筐体２と表示部側筐体３とを相対的に動かすことが可能に構成される。つまり、携帯電話機１は、操作部側筐体２と表示部側筐体３とが開いた状態（開状態）と、操作部側筐体２と表示部側筐体３とが折り畳まれた状態（閉状態）とにすることができる。ここで、閉状態とは、両筐体が互いに重なるように配置された状態であり、開状態とは、両筐体が互いに重ならないように配置された状態をいう。
【００１８】
操作部側筐体２は、外面がフロントケース２ａとリアケース２ｂとにより構成される。操作部側筐体２は、フロントケース２ａ側に、入力手段としての操作キー群１１と、携帯電話機１の使用者が通話時に発した音声が入力されるマイクとしての音声入力部１２とがそれぞれ露出するように構成される。
【００１９】
操作キー群１１は、各種設定や電話帳機能やメール機能等の各種機能を作動させるための機能設定操作キー１３と、電話番号の数字やメール等の文字等を入力するための入力操作キー１４と、各種操作における決定や上下左右方向のスクロール等を行う操作部材としての決定操作キー１５とにより構成される。操作キー群１１を構成する各キーそれぞれには、操作部側筐体２と表示部側筐体３との開閉状態や各種モード、あるいは起動されているアプリケーション等の種類に応じて所定の機能が割り当てられる（キー・アサイン）。そして、使用者が各キーを押圧することにより、各キーに割り当てられている機能に応じた動作が実行される。
【００２０】
音声入力部１２は、操作部側筐体２の長手方向における連結部４側と反対の外端部側に配置される。つまり、音声入力部１２は、携帯電話機１が開状態において一方の外端部側に配置される。
【００２１】
操作部側筐体２における一方側の側面には、外部機器（例えば、ホスト装置）と通信を行うためのインターフェース（図示せず）が配置される。操作部側筐体２の他方側の側面には、所定の機能が割り当てられているサイドキーと、外部メモリの挿入及び取り出しが行われるインターフェース（図示せず）とが配置される。インターフェースは、キャップにより覆われている。各インターフェースは、不使用時にはキャップにより覆われる。
【００２２】
表示部側筐体３は、外面がフロントパネル３ａと、フロントケース３ｂと、リアケース３ｃ（図３参照）と、リアパネル３ｄ（図３参照）とにより構成される。表示部側筐体３におけるフロントケース３ｂには、各種情報を表示するための表示部２１と、通話の相手側の音声を出力するレシーバとしての音声出力部２２と、が露出するように配置される。ここで、表示部２１は、液晶パネルと、この液晶パネルを駆動する駆動回路と、この液晶パネルの背面側から光を照射するバックライト等の光源部とから構成される。
【００２３】
次いで、図２から図５により、操作部側筐体２及び表示部側筐体３の内部構造について説明する。図２は、操作部側筐体２に内蔵される部材の分解斜視図である。図３は、表示部側筐体３に内蔵される部材の分解斜視図である。
【００２４】
図２に示すように、操作部側筐体２は、フロントケース２ａと、キー構造部４０と、キー基板５０と、ケース体６０と、基準電位パターン層７５及び携帯電話機用のＲＦ（Ｒａｄｉｏ  Ｆｒｅｑｕｅｎｃｙ）モジュール等の各種電子部品を備える回路基板７０と、アンテナ部９０と、バッテリリッド２ｃを備えたリアケース２ｂと、バッテリ８０とを備える。
【００２５】
フロントケース２ａとリアケース２ｂとは、互いの凹状の内側面が向き合うように配置され、互いの外周縁が重なり合うようにして結合される。また、フロントケース２ａとリアケース２ｂとの間には、キー構造部４０と、キー基板５０と、ケース体６０と、回路基板７０と、アンテナ部９０とが挟まれるようにして内蔵される。
【００２６】
フロントケース２ａには、携帯電話機１を折り畳んだ状態で表示部側筐体３の表示部２１と対向する内側面に、キー孔１３ａ、１４ａ、１５ａが形成される。キー孔１３ａ、１４ａ、１５ａそれぞれからは、機能設定操作キー１３を構成する機能設定操作キー部材１３ｂの押圧面、入力操作キー１４を構成する入力操作キー部材１４ｂの押圧面、及び決定操作キー１５を構成する決定操作キー部材１５ｂの押圧面が露出される。この露出した機能設定操作キー部材１３ｂ、入力操作キー部材１４ｂ及び決定操作キー部材１５ｂの押圧面を押し下げるように押圧することで、対応するキースイッチ５１、５２、５３それぞれに設けられる後述のメタルドーム（椀状形状）の頂点が押圧され、スイッチ端子に接触して電気的に導通する。
【００２７】
キー構造部４０は、操作部材４０Ａと、補強部材としてのキーフレーム４０Ｂと、シート部材としてのキーシート４０Ｃと、により構成される。
【００２８】
操作部材４０Ａは、複数のキー操作部材により構成される。具体的には、機能設定操作キー部材１３ｂと、入力操作キー部材１４ｂと、決定操作キー部材１５ｂとにより構成される。操作部材４０Ａを構成する各操作キー部材それぞれは、後述するキーフレーム４０Ｂを挟んでキーシート４０Ｃに接着される。キーシート４０Ｃに接着された各操作キー部材それぞれにおける押圧面は、上述の通り、キー孔１３ａ、１４ａ、１５ａそれぞれから外部に露出して配置される。
【００２９】
キーフレーム４０Ｂは、孔部１４ｃが複数形成された金属性の板状部材である。キーフレーム４０Ｂは、入力操作キー部材１４ｂの押圧による回路基板７０等への悪影響を防ぐための補強部材である。また、キーフレーム４０Ｂは導電性の部材であり、入力操作キー部材１４ｂにおける静電気を逃がすための部材としても機能する。キーフレーム４０Ｂに形成される複数の孔部１４ｃには、後述するキーシート４０Ｃに形成される凸部１４ｄが嵌合するように配置される。そして、この凸部１４ｄに入力操作キー部材１４ｂが接着される。
【００３０】
キーシート４０Ｃは、可撓性を有するシリコンゴム製のシート状部材である。キーシート４０Ｃには、上述の通り、複数の凸部１４ｄが形成される。複数の凸部１４ｄは、キーシート４０Ｃにおけるキーフレーム４０Ｂが配置される側の面に形成される。この複数の凸部１４ｄそれぞれは、後述するキースイッチ５２に対応する位置に形成される。
【００３１】
キー基板５０は、キーシート４０Ｃ側に配置される複数のキースイッチ５１、５２、５３を有する。複数のキースイッチ５１、５２、５３、それぞれは、各操作部材４０Ａに対応する位置に配置される。キー基板５０に配置されるキースイッチ５１、５２、５３は、椀状に湾曲して立体的に形成された金属板のメタルドームを有する構造になっている。メタルドームは、その椀状形状の頂点が押圧されると、キー基板５０の表面に印刷された電気回路（図示せず）に形成されるスイッチ端子に接触して電気的に導通するように構成される。なお、キー基板５０は、複数の絶縁層（絶縁フィルム）の間に配線を挟み込んだものである。
【００３２】
キー基板５０がケース体６０における平板部６１に載置されるので、操作部材４０Ａそれぞれが押圧されることによる圧力や撓みは、ケース体６０の下方に配置される回路基板７０に伝達されにくい。
【００３３】
ケース体６０は、薄型の直方体における一の広い面が開口した形状を有する導電性の部材である。ケース体６０は、平板部６１における開口側の面に略垂直に形成されるリブ６２を有する。リブ６２は、回路基板７０に実装される各種電子部品のうち最も高さのある電子部品の高さと同等又はそれよりも十分に高くなるよう形成される。リブ６２は、平板部６１の周縁及び内側に基準電位部を構成する基準電位パターン層７５に対応するように形成される。具体的には、ケース体６０が回路基板７０に載置された状態で、基準電位パターン層７５上に配置されるようにリブ６２が形成される。なお、ケース体６０は、金属により形成するほか、骨格を樹脂により形成し、その表面に導体膜を形成したものでもよい。
【００３４】
ケース体６０は、リブの底面が基準電位パターン層７５に当接されることで、該基準電位パターン層７５と電気的に接続される。ケース体６０は、基準電位パターン層７５と電気的に導通して該基準電位パターン層７５と同じ大きさの電位を有するようになる。つまり、ケース体６０は、シールドケースとして機能する。ケース体６０は、シールドケースとして外部からの高周波等のノイズが回路基板７０に配置される各種電子部品に作用するのを抑制すると共に、ＲＦ（Ｒａｄｉｏ  Ｆｒｅｑｕｅｎｃｙ）回路、ＣＰＵ回路、電源回路等から放出されるノイズを遮蔽して、他の電子部品やアンテナに接続される受信回路等に作用することを抑制する。具体的には、ケース体６０におけるリブ６２の底面が基準電位パターン層７５上に配置されることで、後述する各回路はリブ６２により囲われると共に平板部６１の一部により覆われる。リブ６２は、各回路における隔壁として機能し、平板部６１の一部と共に各回路をシールドする。
【００３５】
回路基板７０には、アンテナ１０８が送受信する信号を処理する信号処理部を含む不図示の各種電子部品や回路が配置される。各種電子部品は、所定の組み合わせにより複数の回路ブロックを形成する。例えば、ＲＦ（Ｒａｄｉｏ  Ｆｒｅｑｕｅｎｃｙ）回路、電源回路等を含む各種回路ブロックが形成される。
【００３６】
回路基板７０におけるケース体６０側の第１面７０ａには、上述の各種電子部品のほか、基準電位部を構成する基準電位パターン層７５が形成される。基準電位パターン層７５は、上述の各回路ブロックを区画するように形成される。基準電位パターン層７５は、回路基板７０の第１面７０ａの表面に導電性の部材を所定パターンで印刷することで形成される。
【００３７】
アンテナ部９０は、基台上に所定形状のアンテナエレメントが配置されることにより構成さる。アンテナ部９０は、携帯電話機１における連結部４側と反対の端部側に配置される。このアンテナ部９０のアンテナエレメントは、帯状の板金により形成される。また、アンテナ部９０は、不図示の給電端子を介して回路基板７０から給電される。これにより、アンテナエレメントは、給電端子を介して回路基板７０から給電されると共に、回路基板７０のＲＦモジュール等と接続される。
【００３８】
リアケース２ｂの一端側（図２において）には、取り外し可能なバッテリリッド２ｃが設けられており、バッテリ８０をリアケース２ｂの外側から収納した後、リアケース２ｂに装着される。また、リアケース２ｂにおける一端側には、ユーザの音声を入力する不図示の音声入力部１２（特にマイク）が収容される。
【００３９】
図３に示すように、表示部側筐体３は、フロントパネル３ａと、音声出力部２２と、フロントケース３ｂと、音声出力部２２と、表示部２１と、表示部２１が接続されたプリント基板８５と、リアケース３ｃと、リアパネル３ｄと、を備える。
【００４０】
表示部側筐体３は、フロントパネル３ａと、フロントケース３ｂと、表示部２１と、プリント基板８５と、リアケース３ｃと、リアパネル３ｄとがそれぞれが積層的に配置される。具体的には、フロントケース３ｂとリアケース３ｃとは、互いの凹状の内側面が向き合うように配置され、互いの外周縁が重なり合うようにして結合される。
【００４１】
そして、フロントケース３ｂとリアケース３ｃとの間には、表示部２１が接続されたプリント基板８５が挟まれるようにして内蔵される。プリント基板８５には、不図示のアンプと接続されるスピーカが接続される。
【００４２】
次に、図４及び図５により、携帯電話機１の回路構成について説明する。
図４は、携帯電話機１における回路構成を説明するブロック図である。図５は、携帯電話機１における回路構成を説明するブロック図である。
図４に示すように、表示部２１と、操作キー群１１と、ＣＰＵ４５と、メモリ４４と、を備える。
【００４３】
メモリ４４は、通信機能、メール機能、インターネット接続機能、サイト閲覧機能、決済機能等の複数の機能を実行するためのプログラムを記憶する。また、メモリ４４は、ダイヤル発信・受信履歴情報、アドレス情報、メール発信・受信履歴情報や所有者の個人情報等を記憶する。更には、メモリ４４は、図４に示すように、操作キー群１１により入力された文字又は文字列を変換するための文字変換機能に利用される基本辞書９１と、予測候補辞書９２と、が記憶される。ここで、文字には、数字、記号や絵文字等が含まれる。
【００４４】
基本辞書９１には、操作キー群１１により入力された文字又は文字列の読み対応する漢字やカタカナ等が登録される。
基本辞書９１は、主に、予測候補辞書９２から抽出された予測候補に使用者が所望する文字列が含まれない場合に使用される。
【００４５】
予測候補辞書９２は、所定の文字又は文字列に対応する予測候補が登録される。
予測候補は、所定の文字又は文字列に続く文字又は文字列（単語、文章等）や、基本辞書９１から抽出された文字又は文字列であって後述する入力確定部８２により確定された文字又は文字列が含まれる。
【００４６】
予測候補辞書９２は、初期予測候補辞書データ９３と、追加予測候補辞書データ９４とを有する。
初期予測候補辞書データ９３は、予め辞書作成者によって所定の文字又は文字列の対応する予測候補が登録されたものである。初期予測候補辞書データ９３は、いわゆるデフォルトとして、初期設定時から予めメモリ４４に記憶される。また、初期予測候補辞書データ９３には、追加予測候補辞書データ９４とは異なり、あらたな予測候補は追加登録されない。
【００４７】
追加予測候補辞書データ９４は、使用により後から追加される所定の文字又は文字列に対応するあらたな予測候補が追加登録される辞書データである。追加予測候補辞書データ９４は、いわゆる学習機能により後から追加される予測候補が追加登録される辞書データである。追加予測候補辞書データ９４に追加登録される文字又は文字列としては、後述する入力確定部８２により確定された文字又は文字列であって予測候補辞書９２に含まれない文字又は文字列や、使用が単語登録した文字列等があげられる。
【００４８】
ここで、追加予測候補辞書データ９４に登録される予測候補は、初期予測候補辞書データ９３に登録される予測候補よりも優先順位が高く設定される。後述する予測候補抽出部８１による予測候補の抽出において、追加予測候補辞書データ９４に登録される予測候補から優先して抽出される。つまり、表示部２１に複数の予測候補が表示された状態において、追加予測候補辞書データ９４に登録される予測候補が上位に表示される。
【００４９】
メモリ４４は、基本辞書９１が記憶される領域のほか、第１領域９５と、第２領域９６とを有する。第１領域９５には、予測候補辞書９２が記憶される。つまり、第１領域９５には、初期予測候補辞書データ９３と、追加予測候補辞書データ９４とが記憶される。
【００５０】
ここで、操作キー群１１により後述する認証部８３により設定されたパスワードと異なる文字列が所定回数（例えば、３回）入力された場合、第１領域９５に記憶される追加予測候補辞書データ９４は、図５に示すように、第２領域９６に移動（退避）される。
また、第２領域９６に追加予測候補辞書データ９４が記憶された状態において、操作キー群１１により認証部８３により設定されたパスワードが正しく入力された場合、追加予測候補辞書データ９４は、第１領域に移動（復帰）される（図４参照）。
【００５１】
ＣＰＵ４５は、各機能を制御すると共に、携帯電話機１の全体を制御する。
また、ＣＰＵ４５は、予測候補抽出部８１と、入力確定部８２と、認証部８３と、を備える。
【００５２】
予測候補抽出部８１は、メモリ４４に記憶される予測候補辞書９２に基づいて、操作キー群１１により入力された文字又は文字列に対応する予測候補を抽出する。具体的には、予測候補抽出部８１は、第１領域９５に記憶される初期予測候補辞書データ９３と追加予測候補辞書データ９４とに基づいて、予測候補を抽出する。抽出された予測候補は、入力確定部８２により入力が確定される候補として、表示部２１に表示される。
【００５３】
予測候補抽出部８１は、最初に追加予測候補辞書データ９４に登録される予測候補を抽出し、次いで初期予測候補辞書データ９３に登録される予測候補を抽出する。予測候補抽出部８１は、初期予測候補辞書データ９３及び追加予測候補辞書データ９４から抽出された予測候補に対して入力確定部８２による確定されなかった場合、基本辞書９１から予測候補を抽出する。
【００５４】
予測候補抽出部８１は、認証段階で認証部８３に予め設定されたパスワード（文字又は文字列）とは異なる文字又は文字列が所定回数入力された場合、初期予測候補辞書データ９３のみに基づいて、予測候補の抽出を行う。具体的には、予測候補抽出部８１は、認証段階で認証部８３に予め設定されたパスワード（文字又は文字列）とは異なる文字又は文字列が所定回数入力された場合、第２領域９６に移動された追加予測候補辞書データ９４が使用できず、第１領域９５に記憶される初期予測候補辞書データ９３のみを使用して予測候補の抽出を行うよう構成される。
【００５５】
予測候補抽出部８１は、初期予測候補辞書データ９３のみに基づいて予測候補を抽出している状態において、認証段階で認証部８３に予め設定されたパスワード（文字又は文字列）が入力された場合、初期予測候補辞書データ９３及び追加予測候補辞書データ９４に基づいて、予測候補の抽出を行う。具体的には、予測候補抽出部８１は、認証段階で認証部８３に予め設定されたパスワード（文字又は文字列）が入力された場合、第２領域９６から第１領域９５に戻された追加予測候補辞書データ９４を使用することができ、第１領域９５に記憶される初期予測候補辞書データ９３及び追加予測候補辞書データ９４を使用して予測候補の抽出を行うよう構成される。
【００５６】
入力確定部８２は、操作キー群１１により入力された文字又は文字列に対応する予測候補から所望の予測候補を選択すると共に、入力を確定させる。具体的には、予測候補抽出部８１により抽出され表示部２１に表示された複数の予測候補から所望の予測候補（文字又は文字列）を選択して、入力を確定させる。ここで、入力確定部８２により確定された文字又は文字列であって初期予測候補辞書データ９３に登録されていない文字又は文字列は、追加予測候補辞書データ９４に追加登録される。
【００５７】
認証部８３は、使用が禁止される特定機能における使用を許可／不許可する。具体的には、認証部８３は、使用が禁止された特定機能を使用する際の認証段階において、予め設定されたパスワード（文字又は文字列）が入力された場合に特定機能の使用を許可する。また、認証部８３は、使用が禁止された特定機能を使用する際の認証段階において、予め設定されたパスワード（文字又は文字列）とは異なる文字列が入力された場合には、特定機能の使用を許可しない。使用が禁止され保護される特定機能は、２種以上の機能であってよい。例えば、通話機能、メール機能、インターネット接続機能、サイト閲覧機能、決済機能、アドレス帳機能等のうち２種以上の機能を特定機能として使用を禁止するように設定してもよい。２種以上の機能が特定機能に設定された場合、いずれの機能を使用する場合においても、上述の認証段階においてパスワードの入力が要求される。要求されるパスワードと同じ文字列が正しく入力されることで該特定機能の使用が許可される。
【００５８】
表示部２１は、アドレス帳の内容、メールの内容やダイヤル受信・発信履歴を表示させることができる。また、表示部２１には、認証段階において、所定の文字又は文字列の入力を促す認証画面や、認証が失敗したことを報知する認証失敗画面が表示される。また、表示部２１には、所定の文字又は文字列が入力された場合、予測候補抽出部８１により抽出された予測候補が表示される。
【００５９】
続けて、図６により、本実施形態における作用について説明する。
図６は、携帯電話機１における動作を説明するフロー図である。
まず、携帯電話機１における複数の機能のうち、保護設定される機能を使用者が操作する（ＳＴ１００）。
【００６０】
次いで、保護設定がされた機能の使用を許可／不許可するために、認証部８３による認証段階となる。表示部２１にパスワードの入力を促す認証画面が表示される（ＳＴ１０１）。
【００６１】
続けて、認証画面に対応して、操作キー群１１により文字列が入力される（ＳＴ１０２）。入力された文字列がパスワードとは異なる場合、認証成功とはならず（ＳＴ１０３）、保護設定された上述の機能における使用は許可されない。そして、認証失敗カウントが所定回数である３回以上でない場合（ＳＴ１０４）、認証失敗回数をカウントアップする（ＳＴ１０５）と共に、表示部２１に認証失敗画面が表示される（ＳＴ１０６）。表示部２１には認証画面が再度表示され、使用者は、操作キー群１１により文字列を再度入力する。
【００６２】
ここで、認証失敗カウントが３回になった場合（ＳＴ１０４）、追加予測候補辞書データ９４が第１領域９５から第２領域９６に移動（退避）される（ＳＴ１０７）。これにより、予測候補抽出部８１は、初期予測候補辞書データ９３のみに基づいて、予測候補を抽出する。以降の文字入力操作において、追加予測候補辞書データ９４から予測候補が抽出され表示部２１に表示されることが防止される。これにより、追加予測候補辞書データ９４に追加登録された予測候補から個人情報等が知られることが抑制される。また、追加予測候補辞書データ９４に追加登録された予測候補からパスワードが推測され、保護設定された機能が使用されること（インターネット接続や決済機能等）や、保護設定された機能の使用により個人情報等が知られること（例えば、アドレス帳機能やメール機能等の使用による）が抑制される。
【００６３】
入力された文字列がパスワードと同じである場合、認証成功となり（ＳＴ１０３）、保護設定された上述の機能における使用が許可される。
追加予測候補辞書データ９４が第１領域９５に記憶されている場合（ＳＴ１０８）、認証処理は終了される。
追加予測候補辞書データ９４が第１領域９５に記憶されていない場合（ＳＴ１０８）、追加予測候補辞書データ９４が第２領域９６から第１領域９５に移動（復帰）される。これより認証処理が正しくなされた場合には、特別な操作を行うことなく通常状態（追加予測候補辞書データ９４を移動（退避）させる前の状態）に戻すことができる。
【００６４】
本実施形態によれば、秘匿すべき情報に対するセキュリティ機能（認証機能）が向上された携帯電話機１を提供することができる。
具体的には、本実施形態によれば、特定機能を使用するための認証に失敗した場合に、使用により予測候補が追加されてなる追加予測候補辞書データ９４を利用できないようにするので、追加予測候補辞書データ９４に登録された予測候補から、個人情報や、特定機能を使用するためのパスワードが知られる（推測される）ことが抑制された携帯電話機１を提供することができる。
【００６５】
また、本実施形態によれば、追加予測候補辞書データ９４からパスワードが知られることを抑制できるので、使用が禁止される特定機能が勝手に使用されることを抑制できる。
【００６６】
また、本実施形態によれば、追加予測候補辞書データ９４が第２領域９６に移動（退避）された状態において、正しいパスワードが入力された場合、追加予測候補辞書データ９４が第１領域９５に移動（復帰）されるので、使用者の利便性を損なうことなく、セキュリティ機能（認証機能）が向上される。
【００６７】
以上、好適な実施形態について説明したが、本発明は上述した実施形態に限定されることなく種々の形態で実施することができる。例えば、本実施形態において、電子機器として携帯電話機１について説明しているが、これに限定されず、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であってもよい。
【００６８】
また、本実施形態において、連結部４により折り畳み可能な携帯電話機１の説明をしているが、このような折り畳み式ではなく、操作部側筐体２と表示部側筐体３との重ね合わせた状態から一方の筐体を一方向にスライドさせるようにしたスライド式や、操作部側筐体２と表示部側筐体３との重ね合せ方向に沿う軸線を中心に一方の筐体を回転させるようにした回転（ターン）式や、操作部側筐体２と表示部側筐体３とが一つの筐体に配置され連結部を有さない型式（ストレートタイプ）でもよい。また、携帯電話機１は、開閉及び回転可能ないわゆる２軸ヒンジタイプであってもよい。
【００６９】
また、本実施形態において、認証段階において所定回数だけ認証に失敗した場合、追加予測候補辞書データ９４をメモリ４４における第１領域９５から第２領域９６に移動（退避）させることで、予測候補抽出部８１による予測候補の抽出に使用されないよう構成しているが、これに限定されない。例えば、所定回数だけ認証に失敗した場合、予測候補抽出部８１による抽出において、追加予測候補辞書データ９４の使用を禁止するように構成してもよい。
【００７０】
つまり、認証部８３による認証段階において、予め設定されたパスワード（文字又は文字列）とは異なる文字又は文字列が所定回数（例えば、３回）入力された場合、予測候補抽出部８１は、追加予測候補辞書データ９４に基づいて予測候補を抽出することを禁止されるように構成してもよい。また、予測候補抽出部８１が追加予測候補辞書データ９４に基づいて予測候補を抽出することを禁止された状態において、認証部８３に予め設定された文字又は文字列が入力された場合、予測候補抽出部８１は、追加予測候補辞書データ９４に基づいて予測候補を抽出することが許可されるように構成してもよい。
【００７１】
具体的な動作については、図７により説明する。図７は、携帯電話機１における他の動作例について説明するフロー図である。
まず、携帯電話機１における複数の機能のうち、保護設定される機能を使用者が操作する（ＳＴ２００）。
【００７２】
次いで、保護設定がされた機能の使用を許可／不許可するために、認証部８３による認証段階となる。表示部２１にパスワードの入力を促す認証画面が表示される（ＳＴ２０１）。
【００７３】
続けて、認証画面に対応して、操作キー群１１により文字列が入力される（ＳＴ２０２）。入力された文字列がパスワードとは異なる場合、認証成功とはならず（ＳＴ２０３）、保護設定された上述の機能における使用は許可されない。そして、認証失敗カウントが所定回数である３回以上でない場合（ＳＴ２０４）、認証失敗回数をカウントアップする（ＳＴ２０５）と共に、表示部２１に認証失敗画面が表示される（ＳＴ２０６）。表示部２１には、認証画面が再度表示され、使用者は、操作キー群１１により文字列を再度入力する。
【００７４】
ここで、認証失敗カウントが３回になった場合（ＳＴ２０４）、予測候補抽出部８１による予測候補の抽出において、追加予測候補辞書データ９４の使用が禁止される（ＳＴ２０７）。これにより、予測候補抽出部８１は、初期予測候補辞書データ９３のみに基づいて、予測候補を抽出する。以降の文字入力操作において、追加予測候補辞書データ９４から予測候補が抽出され表示部２１に表示されることが防止される。これにより、追加予測候補辞書データ９４に追加登録された予測候補から個人情報等が知られることが抑制される。また、追加予測候補辞書データ９４に追加登録された予測候補からパスワードが推測され、保護設定された機能が使用されること（インターネット接続や決済機能等）や、保護設定された機能の使用により個人情報等が知られること（例えば、アドレス帳機能やメール機能等の使用による）が抑制される。
【００７５】
入力された文字列がパスワードと同じである場合、認証成功となり（ＳＴ２０３）、保護設定された上述の機能における使用が許可される。
追加予測候補辞書データ９４の使用が禁止されていない場合（ＳＴ２０８）、認証処理は終了される。
追加予測候補辞書データ９４の使用が禁止されている場合（ＳＴ２０８）、予測候補抽出部８１による予測候補の抽出において、追加予測候補辞書データ９４の使用が許可される。これより認証処理が正しくなされた場合には、特別な操作を行うことなく通常状態（追加予測候補辞書データ９４が使用できる状態）に戻すことができる。
【図面の簡単な説明】
【００７６】
【図１】携帯電話機１を開いた状態における外観斜視図である。
【図２】操作部側筐体２に内蔵される部材の分解斜視図である。
【図３】表示部側筐体３に内蔵される部材の分解斜視図である。
【図４】携帯電話機１における回路構成を説明するブロック図である。
【図５】携帯電話機１における回路構成を説明するブロック図である。
【図６】携帯電話機１における動作を説明するフロー図である。
【図７】携帯電話機１における他の動作例について説明するフロー図である。
【符号の説明】
【００７７】
１          携帯電話機
２          操作部側筐体
３          表示部側筐体
１１        操作キー群
２１        表示部
４４        メモリ
４５        ＣＰＵ
８１        予測候補抽出部
８３        認証部
９１        基本辞書
９２        予測候補辞書
９３        初期予測候補辞書データ
９４        追加予測候補辞書データ
９５        第１領域
９６        第２領域
【図１】
0005460965.tif 000002
【図２】
0005460965.tif 000003
【図３】
0005460965.tif 000004
【図４】
0005460965.tif 000005
【図５】
0005460965.tif 000006
【図６】
0005460965.tif 000007
【図７】
0005460965.tif 000008